(57)【要約】      （修正有）【課題】リアパネルの通風孔に堆積した塵埃及び埃を自動的に除去することができる塵埃除去装置を提供する。【解決手段】第一通風孔を穿設したリアパネル５に、これに重畳するように第二通風孔７ａを穿設し、第一可動手段９及び第二可動手段１０により左右方向及び、または上下方向に移動可能な可動通風板７を設け、第一通風孔及びこれに連通する第二通風孔７ａの周縁に塵埃及び埃が堆積した際は、可動通風板７を移動させ、付着した塵埃及び埃を引き剥がすようにして浮遊させ、冷却ファンにより筐体外に排出する。【選択図】図２
2006231203.tif 000002
【特許請求の範囲】
【請求項１】
第一通風孔を穿設した筐体一側に設けられ、左右方向及び、または上下方向に移動可能に支持されるとともに、前記第一通風孔に対応して第二通風孔を穿設した可動通風板と、同可動通風板を左右方向及び、または上下方向に移動させる可動手段とからなることを特徴とする塵埃除去装置。
【請求項２】
機器の運転積算時間が、所定の値に達した際、前記可動手段が作動するようにしてなることを特徴とする請求項１に記載の塵埃除去装置。
【発明の詳細な説明】
【技術分野】
【０００１】
本発明は、ＰＤＰ（プラズマディスプレイパネル）あるいはパソコン等の機器に係わり、より詳細には筐体の通風孔に付着した塵埃を除去する塵埃除去装置に関する。
【背景技術】
【０００２】
ＰＤＰ（プラズマディスプレイパネル）あるいはパソコン等の電子機器は内部に配設された駆動電源等の電子部品から発生する熱を外部に放出するため、通常、筐体裏面に放熱用の通風孔を多数穿設している。しかるに、同通風孔は手指あるいは異物の侵入を防止するため、その径は規制されており、多数穿設された小径の通風孔周囲に一旦、塵埃が付着すると次第に堆積しやすくなり、またＰＤＰ等では室内の隅に設置されることが多いため、筐体裏面の通風孔に付着した塵埃を容易に取り除くことができないというような問題があった。このため、筐体内から発生する熱を充分に外部に放出できなくなり、ＩＣ等の電子部品に支障が生じたり、あるいはその寿命に影響を与えてしまうというような懸念があった。
【０００３】
通風孔に付着した塵埃を除去する、あるいは付着を防止する従来技術として、例えば図５（Ａ）で示すように、ＰＤＰ等の薄型の筐体４０の裏面に、同筐体４０内に格納可能であって、且つ上下方向に移動可能な複数のファン４２を設け、所定時間の間隔をおいて、同ファン４２が上下方向に移動するとともに、筐体４０の裏面に穿設された通風孔４１に向かい空気を吸引、あるいは送出するようにして前記通風孔４１に塵埃が付着することを防止する一方、付着した塵埃を除去しようとする技術が提示されている。（例えば、特許文献１参照）
【０００４】
また、他の従来技術として、図５（Ｂ）で示すように、電子機器の筐体５０に放熱用の通風孔５１を円形状に開口し、同通風孔５１に金属性のメッシュ５１ａを張設するとともに、前記筐体５０内に，これに対向するようにファン５２を設けた技術が提示されている。同ファン５２は駆動源５４の回転軸５５に前後摺動自在に連結されるとともに、前記回転軸５５に巻回されたスプリングによる付勢手段５６により前記通風孔５１の方向に常時付勢されるようになっており、又、前記ファン５２の先端面には列状にブラシ５３が付設されており、前記駆動源５４が停止状態では同ブラシ５３は前記メッシュ５１ａに接触するようになっている。前記駆動源５４が始動されると、前記ファン５２は回転を開始し、前記ブラシ５３が前記メッシュ５１ａに付着した塵埃を清掃し、又、回転が増加すると、送出した空気の反力により前記ファン５２は後退し、筐体５０内部から発生した熱を前記通風孔５１を介して外部に放出するようになっている。又、前記駆動源５４が停止した際は、前記ファン５２が付勢手段５６により前方に移動し、前記ブラシ５３が前記メッシュ５１ａを清掃しながら次第に回転を止めるようになっている。
【０００５】
しかしながら、筐体の裏面に移動可能な複数のファンを設けることは、電子機器の構造が複雑になるばかりでなく、コストの上昇を招き、又、ファンの先端にブラシを設け塵埃を除去しようという技術は、小径の通風孔が多数穿設されている場合には、対応することができないといういうような問題があった。
【０００６】
【特許文献１】特開２００２−９４７６号（２頁、図１）
【特許文献２】特開平３−２６８４８４号（２頁、図１）
【発明の開示】
【発明が解決しようとする課題】
【０００７】
本発明は、上記問題点に鑑み、筐体に穿設された多数のの通風孔の周縁に付着、堆積した塵埃及び埃を効率的に、人手を要さずに自動的に清掃し、又、構成が簡素でコストの上昇を招かない塵埃除去装置を提供することを目的とする。
【課題を解決するための手段】
【０００８】
本発明は、上記課題を解決するため、第一通風孔を穿設した筐体一側に設けられ、左右方向及び、または上下方向に移動可能に支持されるとともに、前記第一通風孔に対応して第二通風孔を穿設した可動通風板と、同可動通風板を左右方向及び、または上下方向に移動させる可動手段とからなる塵埃除去装置を構成してなる。又、機器の運転積算時間が、所定の値に達した際、前記可動手段が作動するようにした構成となっている。
【発明の効果】
【０００９】
本発明によると、第一通風孔を穿設したリアパネルに、これに重畳するように第二通風孔を穿設し、第一可動手段及び第二可動手段により左右方向及び、または上下方向に移動可能な可動通風板を設け、前記第一通風孔及びこれに連通する前記第二通風孔の周縁に塵埃及び埃が堆積した際は、可動通風板を左右及び、または上下方向に若干移動させ、付着した塵埃及び埃を通風孔周縁から引き剥がすようにして通風孔の清掃を自動的に行え、且つ構成が簡素でコストの上昇を招かない塵埃除去装置とすることができるようになっている。
【発明を実施するための最良の形態】
【００１０】
以下、本発明の実施の形態を、添付図面に基づいた実施例として詳細に説明する。
【実施例１】
【００１１】
図１は、本発明による塵埃除去装置を備えた表示装置を示す断面図であり、図２はその裏面図である。図３は塵埃除去装置の動作を示す裏面図であり、又、図４は一連の動作を示す要部断面図である。
【００１２】
本発明による塵埃除去装置を備えた表示装置１は、図１の断面図で示すように、枠体状に形成され、内壁周縁に溝部を備えた樹脂材からなるフロントパネル２と、前面側が開放され後面側が台形状に膨出するように形成された板金からなるリアパネル５とで筐体を構成している。同筐体内には、図示しない映像処理基板からの映像信号を基にプラズマ放電により映像を前面側に映写する薄型矩形状のプラズマディスプレイパネル４が配設され、前記フロントパネル２の前面側開口部には、前記プラズマディスプレイパネル４からの映像を透過させ表示画面として機能する半透明部材の光学フィルタ３が前記フロントパネル２の溝部に、前記リアパネル５の周縁部とともに挟持されるように装着されている。又、前記プラズマディスプレイパネル４と、前記リアパネル５との間には、映像処理基板等から発生する多量の熱を後方側に送出する冷却ファン６が左右方向に複数台、連設されている。
【００１３】
前記リアパネル５の上部には矩形状の第一通風孔５ａが上下及び左右方向に向かい格子状に多数形成され、更に、これに重畳するように、上下及び左右方向に可動する可動通風板７が設けられている。同可動通風板７には、図１及び図２で示すように、前記通風孔５ａと同形状、同口径であり前記第一通風孔５ａに連通する第二通風孔７ａが位置を合わせるようにして格子状に形成されている。
【００１４】
前記可動通風板７の四隅には、図２で示すように、十字状のスライド孔７ｂが穿設され、前記リアパネル５には同スライド孔７ｂに挿通するとともに、これを掛止する頭部が拡径したガイドピン８が複数突設されている。これにより前記前記可動通風板７は左右方向及び上下方向に移動可能となっている。
【００１５】
前記リアパネル５の側面には、前記可動通風板７に連結され、これを左右方向に可動させる第一可動手段９が設けられ、中央部には、同様に前記可動通風板７に連結され、これを上下方向に可動させる第二可動手段１０が設けられている。
【００１６】
前記可動通風板７の側面には、前記第一可動手段９に対応して、先端部に掛止ピンを形成した細長状のバーが突設され、前記第一可動手段９には先端部に前記掛止ピンを掛止する縦長状のリング９ａを形成し、左右方向に摺動するスライドバーが設けられている。前記第一可動手段９には電磁マグネットあるいは空気圧等により作動し、前記スライドバーを押圧及び索引する機構が内蔵されており、これにより前記スライドバーが延出及び索引されると前記可動通風板７が、前記ガイドピン８に案内されて、図３（Ａ）で示すように、左右方向に前記通風孔７ａの口径の略半個分、往復移動するようになっている。又、前記第一可動手段９に突設された掛止ピンが前記スライドバーの縦長状のリング９ａに掛止されていることにより、同掛止ピンは上下に移動可能であり、これにより前記可動通風板７は前記第一可動手段９に連結されながら上下方向に移動可能となっている。
【００１７】
同様に、前記可動通風板７の下面には、前記第二可動手段１０に対応して、先端部に掛止ピンを形成した細長状のバーが下方に向かい突設され、前記第二可動手段１０には先端部に前記掛止ピンを掛止する横長状のリング１０ａを形成し、上下に摺動するスライドバーが設けられている。前記第二可動手段１０には電磁マグネットあるいは空気圧等により作動し、前記スライドバーを押圧索引する機構が内蔵されており、これにより前記スライドバーが延出及び索引されると前記可動通風板７が、前記ガイドピン８に案内されて、図３（Ｂ）で示すように，上下方向に前記通風孔７ａの略半個分、往復移動するようになっている。又、前記第二可動手段１０に突設された掛止ピンが前記スライドバーの横長状のリング１０ａに掛止されていることにより、同掛止ピンは左右に移動可能であり、これにより前記可動通風板７は前記第二可動手段９に連結されながら左右方向に移動可能となっている。
【００１８】
次に、動作について説明する。室内に設置された前記表示装置１が一定期間使用されると、室内に浮遊する塵埃及び埃が前記表示装置１から発生する電界及び静電気に引き寄せられ、図４（Ａ）の断面図で示すように、前記リアパネル５の第一通風孔５ａ及びこれに連通する前記可動通風板７の第二通風孔７ａの周縁に付着するとともに次第に堆積してくる。
【００１９】
この際、図４（Ｂ）の上方からの断面図で示すように、まず前記第一可動手段９が作動し、これに設けられたスライドバーが延出されることにより前記可動通風板７が矢印で示す方向に移動し、リアパネル５に形成された前記第一通風孔５ａと、可動通風板７に形成された前記第二通風孔７ａとは、略半個分、左右方向にずれるようになっている。これにより移動する方向に対し、通風孔の後方周縁に付着した塵埃は前記第二通風孔７ａの周縁により引き剥がされるようになっている。続いて、図４（Ｃ）で示すように、前記可動通風板７は逆方向となる向きに、前記第一通風孔５ａと前記第二通風孔７ａとが略半個分ずれるように移動し、これにより、矢印で示す移動する方向に対し、通風孔の後方周縁に付着した塵埃は前記第二通風孔７ａの周縁により引き剥がされるようになっている。次に、図４（Ｄ）で示すように、前記可動通風板７が元の状態に復帰すると、引き剥がされた塵埃は、矢印で示す前記冷却ファン６からの空気流に乗り外部に放出されるようになっている。
【００２０】
続いて、前記第二可動手段１０が作動され、前記可動通風板７が上下方向に往復動することにより、上記した動作で前記第一通風孔５ａ及びこれに連通する前記第二通風孔７ａ
の上下周縁に付着した塵埃は除去されるようになっている。
【００２１】
前記第一可動手段９及び前記第二可動手段１０が作動する間隔は、例えば前記映像処理基板内に表示動作運転の積算時間を記憶する記憶部を設け、運転積算時間が所定の時間に達したら作動させるようにしても良い。これにより人手を要さずに表示装置の通風孔の塵埃除去作業を自動的に行うことができ、安全性及び使用性を高め、且つ構成が簡素な塵埃除去装置とすることができるようになっている。尚、本願では前記可動通風板７が左右方向及び上下方向両者に移動できる構成となっているが、これに限定されるものでなく、左右方向又は上下方向のいずれか一方に移動できるようにしてもよい。
【図面の簡単な説明】
【００２２】
【図１】表示装置を示す断面図である。
【図２】表示装置の裏面図である。
【図３】（Ａ）は第一可動手段が動作した状態を示す裏面図である。  （Ｂ）は第二可動手段が動作した状態を示す裏面図である。
【図４】付着した塵埃が除去される状態を連続的に示す断面図である。
【図５】従来の表示装置を示す図である。
【符号の説明】
【００２３】
１  表示装置
２  フロントパネル
３  光学フィルタ
４  プラズマディスプレイパネル
５  リアパネル
５ａ  第一通風孔
６  冷却ファン
７  可動通風板
７ａ  第二通風孔
７ｂ  スライド孔
８  ガイドピン
９  第一可動手段
９ａ  リング
１０  第二可動手段
１０ａ  リング
【図１】
2006231203.tif 000003
【図２】
2006231203.tif 000004
【図３】
2006231203.tif 000005
【図４】
2006231203.tif 000006
【図５】
2006231203.tif 000007